(57)【要約】【課題】処理液によるカール、及びインクによる滲みを効率的に防ぐ画像形成装置、画像形成方法、及び画像形成プログラムを提供する。【解決手段】画像データに対しハーフトーン処理を実行して、ハーフトーン処理された画像データであるハーフトーン画像データを生成し、前記ハーフトーン画像データに基づき、インク滴を吐出するドットを示すインク吐出データを生成し、前記ハーフトーン画像データに基づき、該ハーフトーン画像データが示すインク滴を吐出するドットの形成位置と該ドットの周囲のドットの位置に反応液滴を吐出するための反応液吐出データを生成し、前記インク吐出データに基づいて前記インク滴を吐出すると共に、前記反応液吐出データに基づいて前記反応液滴を吐出して画像を形成する。【選択図】図８
2007276400.tif 000002
【特許請求の範囲】
【請求項１】
画像データに対しハーフトーン処理を実行して、ハーフトーン処理された画像データであるハーフトーン画像データを生成するハーフトーン画像生成手段と、
前記ハーフトーン画像データに基づき、インク滴を吐出するドットを示すインク吐出データを生成するインク吐出データ生成手段と、
前記ハーフトーン画像データに基づき、該ハーフトーン画像データが示すインク滴を吐出するドットの形成位置と該ドットの周囲のドットの位置に反応液滴を吐出するための反応液吐出データを生成する反応液吐出データ生成手段と、
前記インク吐出データに基づいて前記インク滴を吐出すると共に、前記反応液吐出データに基づいて前記反応液滴を吐出して画像を形成する画像形成手段と、
を有する画像形成装置。
【請求項２】
前記反応液吐出データ生成手段は、黒のインク滴を吐出するためのハーフトーン画像データに基づき前記反応液吐出データを生成する請求項１に記載の画像形成装置。
【請求項３】
前記反応液吐出データ生成手段は、黒、シアン、マゼンタ、及びイエローのインク滴を吐出するためのハーフトーン画像データに基づき前記反応液吐出データを生成する請求項１に記載の画像形成装置。
【請求項４】
前記反応液吐出データ生成手段は、吐出されるインク滴量が少なくなるほど、前記反応液滴を吐出する周囲のドットの形成位置の数が少なくなるように前記反応液吐出データを生成する請求項１から請求項３のいずれか１項に記載の画像形成装置。
【請求項５】
前記反応液吐出データ生成手段は、吐出されるインク滴量が少なくなるほど、前記インク滴量に対する反応液滴量の割合を低くするように前記反応液吐出データを生成する請求項１から請求項４のいずれか１項に記載の画像形成装置。
【請求項６】
画像データに対しハーフトーン処理を実行して、ハーフトーン処理された画像データであるハーフトーン画像データを生成するハーフトーン画像生成段階と、
前記ハーフトーン画像データに基づき、インク滴を吐出するドットを示すインク吐出データを生成するインク吐出データ生成段階と、
前記ハーフトーン画像データに基づき、該ハーフトーン画像データが示すインク滴を吐出するドットの形成位置と該ドットの周囲のドットの位置に反応液滴を吐出するための反応液吐出データを生成する反応液吐出データ生成段階と、
前記インク吐出データに基づいて前記インク滴を吐出すると共に、前記反応液吐出データに基づいて前記反応液滴を吐出して画像を形成する画像形成段階と、
を有する画像形成方法。
【請求項７】
画像データに対しハーフトーン処理を実行して、ハーフトーン処理された画像データであるハーフトーン画像データを生成するハーフトーン画像生成ステップと、
前記ハーフトーン画像データに基づき、インク滴を吐出するドットを示すインク吐出データを生成するインク吐出データ生成ステップと、
前記ハーフトーン画像データに基づき、該ハーフトーン画像データが示すインク滴を吐出するドットの形成位置と該ドットの周囲のドットの位置に反応液滴を吐出するための反応液吐出データを生成する反応液吐出データ生成ステップと、
前記インク吐出データに基づいて前記インク滴を吐出すると共に、前記反応液吐出データに基づいて前記反応液滴を吐出して画像を形成する画像形成ステップと、
をコンピュータに実行させる画像形成プログラム。
【発明の詳細な説明】
【技術分野】
【０００１】
本発明は、インク滴及び該インク滴と反応する反応液滴を吐出して画像を形成する画像形成装置、画像形成方法、及び画像形成プログラムに関する。
【背景技術】
【０００２】
現在、インク滴を吐出するノズルが複数配列された記録ヘッドを備え、ノズルからインク滴を吐出して画像の記録を行うインクジェット方式のプリンタが広く普及している。
【０００３】
近年、インクジェット方式のプリンタにおいて、画像濃度の向上、用紙内部へのインクの滲みや異なる色同士が接する部分において生じる色間滲みの改善を目的として、各色のインク液に加えて、該インク液と反応する反応液（インク中の色材を凝集、増粘、或いは不溶化させるプリント性向上液であって、処理液と表現されることもある）を用紙に塗布する方法が採用されている。
【０００４】
図１３は、反応液を塗布しない場合と、反応液を塗布する場合の例を列挙したものである。図１３において、「反応液なし」の場合、反応液を用いないためカールなどの用紙変形は発生しないが、文字の濃さが足りず、インクの滲みが残るという問題がある。
【０００５】
また、「インクとオンドット」、すなわちインクを塗布する箇所と同一箇所に反応液を塗布した場合、反応液により文字の濃さが出て、反応液もさほど多くないため用紙がカールすることはないが、インクの滲みが残るという問題がある。
【０００６】
「用紙全面」、すなわち用紙の全面に反応液を塗布する場合、反応液により文字の濃さが出て、インクの滲みもないが、反応液が多いため用紙がカールするという問題がある。
【０００７】
その他、特許文献１には、画像境界外側に複数回処理液を打ち、インクが塗布される画素の上下左右１画素分だけ処理液を打つドットを広げる技術が開示されている。また、特許文献２には、インクのドットを小さくしたり、処理液を画像境界外側にも打つことで、画像境界部の処理液をインクと比べて相対的に多くする技術が開示されている。さらに特許文献３には、画像境界外側にも処理液を打つが、処理液は外側全画素に打つのではなく画質に影響を及ぼさない程度に間引いて打つ技術が開示されている。そして、特許文献４には、ヘッド走査方向に広めに処理液を打つ技術が開示されている。
【特許文献１】特開平０９−２７７５０７号公報
【特許文献２】特開平０８−２１６３９３号公報
【特許文献３】特開２００４−２３７６１９公報
【特許文献４】特開平１０−２７８２４２公報
【発明の開示】
【発明が解決しようとする課題】
【０００８】
しかしながら、特許文献１に開示されている技術では、複数回処理液ドットを打つので、効率的とは言い難く、またＦＷＡ（Full Wide Array）方式の液滴吐出ヘッドに対応することができない。また、特許文献２に開示されている技術では、ハーフトーン処理の前に、画像境界部を何らかの方法で判定する過程が必要となるため効率的な処理とは言い難い。さらに特許文献３に開示されている技術では、処理液を塗布するために広げる画像境界部をどのように選択するのかが開示されていない。また、特許文献４に開示されている技術では、ヘッド走査方向のみに処理液を塗布するため、それ以外の方向に存在するインクへ処理液を塗布することができない。
【０００９】
このように、従来の技術は、上述した図１３に示した方法も含めて、処理液によるカール、及びインクによる滲みを効率的に防ぐことができなかった。
【００１０】
本発明は上記問題点に鑑み、処理液によるカール、及びインクによる滲みを効率的に防ぐ画像形成装置、画像形成方法、及び画像形成プログラムを提供することを目的とする。
【課題を解決するための手段】
【００１１】
上記目的を達成するために、請求項１の発明は、画像データに対しハーフトーン処理を実行して、ハーフトーン処理された画像データであるハーフトーン画像データを生成するハーフトーン画像生成手段と、前記ハーフトーン画像データに基づき、インク滴を吐出するドットを示すインク吐出データを生成するインク吐出データ生成手段と、前記ハーフトーン画像データに基づき、該ハーフトーン画像データが示すインク滴を吐出するドットの形成位置と該ドットの周囲のドットの位置に反応液滴を吐出するための反応液吐出データを生成する反応液吐出データ生成手段と、前記インク吐出データに基づいて前記インク滴を吐出すると共に、前記反応液吐出データに基づいて前記反応液滴を吐出して画像を形成する画像形成手段と、を有する。
【００１２】
ここで、請求項１の発明では、画像データに対しハーフトーン処理を実行して、ハーフトーン処理された画像データであるハーフトーン画像データを生成し、前記ハーフトーン画像データに基づき、インク滴を吐出するドットを示すインク吐出データを生成し、前記ハーフトーン画像データに基づき、該ハーフトーン画像データが示すインク滴を吐出するドットの形成位置と該ドットの周囲のドットの位置に反応液滴を吐出するための反応液吐出データを生成し、前記インク吐出データに基づいて前記インク滴を吐出すると共に、前記反応液吐出データに基づいて前記反応液滴を吐出して画像を形成するので、インク滴が付着した位置及び周囲に反応液が吐出され、また必要以上に反応液が吐出することがないので、処理液によるカール、及びインクによる滲みを効率的に防ぐことができる。
【００１３】
なお、反応液吐出データ生成手段は、ハーフトーン画像データに基づいて生成されたインク滴吐出データに基づいて反応液吐出データを生成しても良い。
【００１４】
なお、前記反応液吐出データ生成手段は、請求項２のように、黒のインク滴を吐出するためのハーフトーン画像データに基づき前記反応液吐出データを生成しても良い。
【００１５】
なお、前記反応液吐出データ生成手段は、請求項３のように、黒、シアン、マゼンタ、及びイエローのインク滴を吐出するためのハーフトーン画像データに基づき前記反応液吐出データを生成しても良い。
【００１６】
なお、前記反応液吐出データ生成手段は、請求項４のように、吐出されるインク滴量が少なくなるほど、前記反応液滴を吐出する周囲のドット位置の数を少なくなるように前記反応液吐出データを生成しても良い。
【００１７】
なお、前記反応液吐出データ生成手段は、請求項５のように、吐出されるインク滴量が少なくなるほど、前記インク滴量に対する反応液滴量の割合を低くするように前記反応液吐出データを生成しても良い。
【００１８】
一方、上記目的を達成するために、請求項６の発明は、画像データに対しハーフトーン処理を実行して、ハーフトーン処理された画像データであるハーフトーン画像データを生成するハーフトーン画像生成段階と、前記ハーフトーン画像データに基づき、インク滴を吐出するドットを示すインク吐出データを生成するインク吐出データ生成段階と、前記ハーフトーン画像データに基づき、該ハーフトーン画像データが示すインク滴を吐出するドットの形成位置と該ドットの周囲のドットの位置に反応液滴を吐出するための反応液吐出データを生成する反応液吐出データ生成段階と、前記インク吐出データに基づいて前記インク滴を吐出すると共に、前記反応液吐出データに基づいて前記反応液滴を吐出して画像を形成する画像形成段階と、を有する。
【００１９】
ここで、請求項６の発明では、請求項１に記載の発明と同様に作用するので、請求項１の発明による効果と同様の効果が得られる。
【００２０】
一方、上記目的を達成するために、請求項７の画像形成プログラムは、画像データに対しハーフトーン処理を実行して、ハーフトーン処理された画像データであるハーフトーン画像データを生成するハーフトーン画像生成ステップと、前記ハーフトーン画像データに基づき、インク滴を吐出するドットを示すインク吐出データを生成するインク吐出データ生成ステップと、前記ハーフトーン画像データに基づき、該ハーフトーン画像データが示すインク滴を吐出するドットの形成位置と該ドットの周囲のドットの位置に反応液滴を吐出するための反応液吐出データを生成する反応液吐出データ生成ステップと、前記インク吐出データに基づいて前記インク滴を吐出すると共に、前記反応液吐出データに基づいて前記反応液滴を吐出して画像を形成する画像形成ステップと、をコンピュータに実行させるものである。
【００２１】
ここで、請求項７の発明では、コンピュータに対し請求項１の発明と同様に作用させることができるので、請求項１の発明による効果と同様の効果が得られる。
【発明の効果】
【００２２】
本発明によれば、処理液によるカール、及びインクによる滲みを効率的に防ぐ画像形成装置、画像形成方法、及び画像形成プログラムを提供することができるという効果が得られる。
【発明を実施するための最良の形態】
【００２３】
以下、図面を参照して、本発明の実施の形態について詳細に説明する。
【００２４】
図１に示すように、本実施の形態に係る画像形成装置としてのインクジェット記録装置１０には、用紙Ｐの搬送方向に対して上流側から反応液を吐出する反応液ヘッド１２Ｌ、及びＫ（黒）、Ｃ（シアン）、Ｍ（マゼンタ）、Ｙ（イエロー）の各色に対応する記録ヘッド１２Ｋ、１２Ｃ、１２Ｍ、１２Ｙが配列されている。また、インクジェット記録装置１０は、各記録ヘッド１２Ｋ〜１２Ｙに供給するインクを収容するインクタンク１４Ｙ、１４Ｍ、１４Ｃ、１４Ｋ、反応液ヘッド１２Ｌに供給する反応液を収容する反応液タンク１４Ｌを備えている。
【００２５】
インクタンク１４Ｋ〜Ｙの各々に貯留されるインクとしては、水性インク、油性インク、及び溶剤系インク等の公知の各種インクを使用できる。
【００２６】
また、反応液タンク１４Ｌに貯留される反応液は、インクと反応する反応液であって、インク中の色材を凝集、増粘、或いは不溶化させて画像濃度の向上、用紙内部へのインクの滲みや異なる色同士が接する部分において生じる色間滲みを改善する。この反応液と各色のインクとが重なるようにインク滴及び反応液を塗布することにより、画質を向上させることができる。反応液の一例には、有機酸型反応液、多価金属型反応液、有機酸と多価金属の混合型、及び有機酸と有機アミン系混合型等があるが、これらに限定されるものではなく、インクと反応して画像濃度を向上させたりドットの滲みを少なくするものであればよい。
【００２７】
なお、以下では、各記録ヘッド１２Ｋ〜１２Ｙ及び反応液ヘッド１２Ｌは各々同じ構造を有するため、これらを特に区別しないで説明する場合は、符号末尾の添字を省略し、ヘッド１２と称する。
【００２８】
また、インクジェット記録装置１０は、記録媒体としての用紙Ｐを収容する給紙トレイ１６、ヘッド１２に対向して配置され、用紙Ｐを搬送する無端ベルト状の搬送体２４、及び印刷後の用紙を排出する排紙トレイ１８を備えている。
【００２９】
更に、インクジェット記録装置１０は、給紙トレイ１６から搬送体２４に至る経路２０Ａ及び搬送体２４から排紙トレイ１８に至る経路２０Ｂにより構成される第１の搬送経路と、第１の搬送経路の経路２０Ｂから反対方向に搬送体２４に至る第２の搬送経路２２とが形成されるように、複数の搬送ローラが設けられている。
【００３０】
また、第１の搬送経路の経路２０Ａでは、給紙トレイ１６から用紙Ｐが１枚ずつ複数の搬送ローラによって搬送体２４まで搬送され、更に、経路２０Ｂでは、複数の搬送ローラによって排紙トレイ１８に到達する。本実施の形態では、第２の搬送経路２２を設けて、用紙を反転させ両面印字を可能としている。
【００３１】
更に、搬送体２４は、２本のロールに巻きかけられたベルトを備えている。この搬送体２４により用紙Ｐを保持する方法としては、給電吸着力を使用することができる。すなわち、帯電ロールで用紙をベルトに押圧すると共に用紙Ｐに電荷を与え吸着力を発生させるものである。
【００３２】
ヘッド１２は、用紙Ｐの幅に対応する長さのヘッドバーに、インク滴または反応液滴を吐出する液滴イジェクタが用紙搬送方向と直交する方向（これを主走査方向と呼称する）に複数個が配列されて構成され、用紙Ｐの最大幅に対応する記録領域を有している。このインクジェット記録装置１０は、ヘッド１２を主走査することなく固定したまま、用紙Ｐのみを搬送しながら記録を行うことによって用紙Ｐの全幅に液滴を吐出することができる。
【００３３】
図２に示すように、上記液滴イジェクタ５０は、インク滴または反応液を吐出するためのノズル５０Ａに連通する液滴圧力室５０Ｂ、及び液滴圧力室５０Ｂに接して設けられた圧電素子５０Ｃを含んで構成されている。圧電素子５０Ｃは、周知のように電圧を印加することにより形状が変化する性質を有しており、この形状変化を利用して液滴圧力室５０Ｂ内に圧力をかけ、ノズル５０Ａからインク滴または反応液を吐出して、用紙Ｐ上にドットを記録する。
【００３４】
具体的には、図２（Ａ）及び図２（Ｃ）に示すように圧電素子５０Ｃに印加する駆動波形を制御することによって、例えば、ノズル５０Ａから大滴のインク滴（図２（Ｂ）参照）、小滴のインク滴（図２（Ｄ）参照）を吐出することができる。なお、ノズル５０Ａからインク滴または反応液を吐出しない場合（滴なし）には、ドットが形成されないような波形の電圧を印加する。
【００３５】
図３は、本実施の形態に係るインクジェット記録装置１０の制御系の構成を示したブロック図である。図３に示すように、インクジェット記録装置１０は、外部から画像データが入力されたときに、該画像データをインクジェット記録装置１０で出力可能な解像度の画像データに変換する解像度変換部３０を備えている。
【００３６】
色変換部３２は、解像度変換部３０で処理された画像データに、用紙Ｐ及びインクの特性に応じた色変換処理や濃度変換処理を施す。色変換部３２による処理は、通常、色（濃度）変換テーブルに従って行われる。色（濃度）変換テーブルは、画像データで表現される色（濃度）の特性とインクジェット記録装置１０で表現される色（濃度）の特性とが合うように、別途作成され保存されている。
【００３７】
量子化部３４は、色変換部３２で処理された画像データに対しハーフトーン処理を実行する。ここでは、２５６階調の画像データが入力されるため、量子化部３４は、この２５６階調の画像データを、後述する記録ヘッド駆動部３８で制御可能な（すなわち、インクジェット記録装置１０で記録可能な）階調数の画像データに変換する。例えば、インクジェット記録装置１０で「滴なし／滴あり」の２階調の記録が可能であれば、２値のハーフトーン処理を行い、「滴なし／小滴／中滴／大滴」の４階調の記録が可能であれば、４値のハーフトーン処理を行う。ハーフトーン処理は周知の誤差拡散処理やディザ処理によって行われる。なお、本実施の形態では、２階調で記録する場合を例に挙げて説明する。
【００３８】
インク吐出データ生成部３６は、量子化部３４で処理された画像データに基づき、インク滴の吐出用のデータ（インク吐出データ）を生成する。具体的にインク吐出データ生成部３６は、記録ヘッド駆動部３８で記録可能なデータ構造に変換し、記録順序（転送順序）にデータを並び替え、これをインク吐出データとして生成し、記録ヘッド駆動部３８へ出力する。このとき、記録ヘッド１２Ｋ〜１２Ｙやノズル５０Ａの配列にマッピングさせた吐出タイミングやデータ配列も考慮してインク吐出データを生成する。必要に応じて各種制御信号の付与・挿入も行う。
【００３９】
記録ヘッド駆動部３８は、インク吐出データに応じて記録ヘッド１２Ｋ〜１２Ｙの各液滴イジェクタ５０の圧電素子５０Ｃに所定の駆動波形の駆動信号を出力することにより液滴イジェクタ５０のノズル５０Ａからインク滴を吐出させる。
【００４０】
また、インクジェット記録装置１０には、反応液吐出データ生成部４４が備えられている。
【００４１】
反応液吐出データ生成部４４は、量子化部３４でハーフトーン処理された画像データに基づき、反応液を吐出するための反応液吐出データを生成する。インク吐出データ生成部３６と同様、反応液吐出データ生成部４４は、生成した反応液吐出データを記録順序（転送順序）に並び替えて反応液ヘッド駆動部４６に出力する。必要に応じて各種制御信号の付与・挿入も行う。
【００４２】
反応液ヘッド駆動部４６は、反応液吐出データに応じて反応液ヘッド１２Ｌの各液滴イジェクタ５０の圧電素子５０Ｃに所定の駆動波形の駆動信号を出力することにより液滴イジェクタ５０のノズル５０Ａから反応液を吐出させる。
【００４３】
解像度変換部３０、色変換部３２、量子化部３４、インク吐出データ生成部３６、記録ヘッド駆動部３８、反応液吐出データ生成部４４、及び反応液ヘッド駆動部４６には、これらを制御する制御部４０が接続されている。
【００４４】
制御部４０は、ＣＰＵ、ＲＡＭ、及びＲＯＭなどを有し、搬送系４２を制御して用紙を搬送体２４によって搬送しつつ、記録ヘッド駆動部３８が上記インク吐出データ生成部３６によって生成されたインク吐出データに基づいて記録ヘッド１２Ｋ〜１２Ｙの液滴イジェクタ５０を駆動し、インク滴を吐出させると共に、反応液ヘッド駆動部４６が上記反応液吐出データ生成部４４によって生成された反応液吐出データに基づいて反応液ヘッド１２Ｌの液滴イジェクタ５０を駆動し、反応液滴を吐出させて、画像を形成する。
【００４５】
次に、このインクジェット記録装置１０におけるインク吐出データ及び反応液吐出データを生成する処理の流れについて説明する。ここでは、ＣＭＹＫのいずれか１色で印刷する場合を例にとり説明する。
【００４６】
まず、外部のコンピュータ等から入力された画像データは、解像度変換部３０で解像度変換され、色変換部３２で色変換・濃度変換される。色変換部３２で処理された画像データは、量子化部３４でハーフトーン処理される。本実施の形態では２５６階調の画像データを、「滴なし（０）／滴あり（２５５）」の２階調の記録レベル値の画像データに変換する。このようにハーフトーン処理された画像データ（以下、量子化データと呼称）は、インク吐出データ生成部３６で、インク吐出データに変換される。具体的には、まず、量子化データを、記録ヘッド駆動部３８で記録可能なデータ構造（例えば、滴無し（０）／滴あり（１）など）に変換する。その後、ノズル５０Ａの配列を考慮しつつ、各データを記録順序（転送順序）に並び替えてインク吐出データを生成する。
【００４７】
記録ヘッド駆動部３８は、インク吐出データ生成部３６で生成されたインク吐出データに応じた駆動波形の電圧を、各液滴イジェクタ５０の圧電素子５０Ｃに印加する。これにより、インク吐出データに応じたインク滴が吐出される。
【００４８】
以下、フローチャートを用いて反応液吐出データ生成部４４の処理について説明する。最初に、図４を用いてＫ（黒）のインク滴を吐出するためのハーフトーン画像データに基づき反応液吐出データを生成する処理について説明する。
【００４９】
ステップ１０１で、反応液吐出データ生成部４４は、量子化部３４が生成したＫのハーフトーン画像データを取得する。ステップ１０２で、反応液吐出データ生成部４４は、ハーフトーン画像データが示すインク滴を吐出するドット位置とそのドット位置の周囲のドット位置に反応液滴を吐出するための反応液吐出データを生成する膨張処理を実行する。この膨張処理は、関数となっており、その入力は、ハーフトーン画像データで、出力は反応液吐出データである。この図４で説明した処理の後に、インク吐出データに基づいてインク滴を吐出すると共に、反応液吐出データに基づいて反応液滴を吐出して画像を形成する画像形成処理が実行される。
【００５０】
この膨張処理を、図５のフローチャートを用いて説明する。なお、このフローチャートでは、ハーフトーン画像データのドット数（画素数、ピクセル数）をＭとしている。ステップ２０１で、反応液吐出データ生成部４４は、ハーフトーン画像データを取得する。図４での膨張処理の場合、ハーフトーン画像データは、Ｋのハーフトーン画像データである。
【００５１】
次のステップ２０２で、反応液吐出データ生成部４４は、カウンタｋを０で初期化する。このカウンタｋは、ドット数をカウントするカウンタである。ステップ２０３で、反応液吐出データ生成部４４は、ｋ番目のドットがインク滴を吐出するドットであることを示すインクドットかどうか判断する。
【００５２】
インクドットではない場合、そのドットに対してはインク滴は吐出されないので、ステップ２０５に処理が進む。インクドットの場合、反応液吐出データ生成部４４は、ステップ２０４で、インク滴を吐出するドットの形成位置、及びその周囲のドットの位置に対応する反応液吐出データを、反応液を吐出することを示すオンにする。
【００５３】
次に、反応液吐出データ生成部４４は、ステップ２０５で、ｋを１つ増分する。その後、反応液吐出データ生成部４４は、ステップ２０６で、ｋがＭより小さいかどうか判断する。この判断処理は全てのドットに対する処理を終えたかどうかを判断する処理である。
【００５４】
ｋがＭより小さい場合、反応液吐出データ生成部４４は、再びステップ２０３の処理を実行する。ｋがＭ以上の場合、全てのドットに対する処理を終えたことを意味するので処理を終了する。
【００５５】
このようにして得られた反応液吐出データに基づき、反応液ヘッド駆動部４６は、反応液を吐出させる。
【００５６】
上述した膨張処理された反応液吐出データ例を図６を用いて説明する。図６には、３つの例（Ａ）（Ｂ）（Ｃ）が示されている。ここで同図の最も小さい矩形は１つのドットを示している。また、各例には、黒で示されるインクドット５４と、グレーで示される反応液吐出ドット５２とが示されている。
【００５７】
そして、各例のいずれもインク滴を吐出するインクドット５４の周囲のドットが反応液吐出ドット５２である。この場合、この反応液吐出ドット５２及びインクドット５４に対応する反応液吐出データがオンとなる。
【００５８】
図６（Ａ）は、インクドット５４の周囲５つ目までのドットに反応液を吐出することを示し、図６（Ｂ）は、インクドット５４の周囲３つ目までのドットに反応液を吐出することを示し、図６（Ｃ）は、インクドット５４の周囲１つ目までのドットに反応液を吐出することを示している。
【００５９】
図６に示される例は、インクドット５４が１つの場合であったが、複数の場合は、図７に示される例となる。図７（Ａ）（Ｂ）のいずれもインクドット５４の周囲２つ目までのドットに反応液を吐出することを示している。
【００６０】
上述した膨張処理は、１つのインクドット毎に行われるため、図７（Ｂ）に示されるように、インクドット５４Ａとインクドット５４Ｂで膨張処理を行うと、反応液吐出データにおいて、オンが重複された重複ドット５６が出現することがある。しかし、反応液吐出データは、例えば１でオンを示し、０でオフを示す２値であったり、あるいはそれより大きい多値であるため、オンが複数重複した場合にそれらの論理和をとるようにする。このように論理和をとることにより、反応液量が最小限に抑えられるので、カールの発生を防ぐことができる。
【００６１】
図８は、上述した膨張処理を実際の文字「あ」に適用した例を示すものである。このように、文字の周囲に反応液を吐出することにより、処理液によるカール、及びインクによる滲みを効率的に防ぐインクジェット記録装置１０を提供することができる。
【００６２】
上述した図４に示されるフローチャートは、Ｋのみに対して膨張処理を行うものであったが、以下で説明する図９に示されるフローチャートは、黒、シアン、マゼンタ、及びイエロー（ＣＭＹＫ）のインク滴を吐出するためのハーフトーン画像データに基づき前記反応液吐出データを生成する処理を示すフローチャートである。
【００６３】
ステップ３０１で、反応液吐出データ生成部４４は、量子化部３４が生成したＣＭＹＫのハーフトーン画像データを取得する。次に反応液吐出データ生成部４４は、ステップ３０２で、Ｋの膨張処理を行う。この膨張処理は、図５のフローチャートに示した処理である。この処理により、Ｋにおける反応液吐出データが得られる。
【００６４】
次に、反応液吐出データ生成部４４は、ステップ３０３で、ＣＭＹの各ハーフトーン画像データをドット毎に論理和をとる。ハーフトーン画像データは、上述したように、ドット毎に２値あるいは多値で表現されているので、それらをビット演算することで論理和をとることができる。
【００６５】
このようにして論理和をとった新たなハーフトーン画像データに対し、反応液吐出データ生成部４４は、ステップ３０４で図５に示したものと同様の膨張処理を行う。この処理により、ＣＭＹにおける反応液吐出データが得られる。
【００６６】
次に、反応液吐出データ生成部４４は、ステップ３０５で、Ｋにおける反応液吐出データと、ＣＭＹにおける反応液吐出データを再びドット毎に論理和をとる。この論理和をとる事により得られた反応液吐出データが、ＣＭＹＫ全てに対して膨張処理を行った反応液吐出データである。この図９で説明した処理の後に、インク吐出データに基づいてインク滴を吐出すると共に、反応液吐出データに基づいて反応液滴を吐出して画像を形成する画像形成処理が実行される。
【００６７】
このように、ＣＭＹＫに対しても、塗布されたインクの周囲に反応液が塗布されるので、カラー文字の滲みを防ぐことができる。なお、ＣＭＹそれぞれに対して膨張処理を行う場合、反応液量が多くなるので例えばＫは周囲５ドットの膨張とし、ＣＭＹは３ドットの膨張とするなど、滲みが目立ちやすいＫに対しては、ＣＭＹと比べて膨張する範囲を広げ、ＫとＣＭＹとで、膨張するドット数を変えるようにしても良い。
【００６８】
あるいは、先にＣＭＹＫ全色の論理和をとり、その結果に対して膨張処理を加えても良い。画像内のドット密度が疎の場合（例えば文書画像など）、少々反応液が増えても用紙変形は起こりにくい。全色まとめて処理することで、色間で異なる処理をする場合より、処理速度が向上する。
【００６９】
次に、吐出されるインク滴量が少なくなるほど、反応液滴を吐出する周囲のドット位置の数を少なくなるように反応液吐出データを生成する処理を、図１０のフローチャートを用いて説明する。
【００７０】
ステップ４０１で、反応液吐出データ生成部４４は、インク滴量で処理を分岐する。小滴の場合、ステップ４０２で、膨張するドット数を１ドットとする。中滴の場合、ステップ４０３で、膨張するドット数を３ドットとする。大滴の場合、ステップ４０４で、膨張するドット数を５ドットする。
【００７１】
この処理により、インク滴量に応じた適量の反応液を吐出することができるので、カールなどの用紙変形の発生を防ぐことができるとともに、反応液を節約することができる。なお、この処理を実行する場合は、図５のステップ２０３とステップ２０４との間にこの処理を挿入する。
【００７２】
上述した図１０では、「大滴の場合は５ドット」などと具体的なドット数が示されているが、このドット数は、インクの物性、反応液の物性、及び用紙の特性などにより定まる値であり、図１０で示されるドット数に限定されるものではない。
【００７３】
次に、吐出されるインク滴量が少なくなるほど、前記インク滴量に対する反応液滴量の割合を低くする反応液デューティ決定処理を、図１１のフローチャートを用いて説明する。
【００７４】
ステップ５０１で、反応液吐出データ生成部４４は、インク滴量で処理を分岐する。小滴の場合、ステップ５０２で、反応液デューティを１２．５％とする。中滴の場合、ステップ５０３で、反応液デューティを２５．０％とする。大滴の場合、ステップ５０４で、反応液デューティを５０．０％とする。
【００７５】
このように反応液デューティを変更した膨張処理の例を、図１２を用いて説明する。図１２には、３つの例（Ａ）（Ｂ）（Ｃ）が示されている。ここで同図の最も小さい矩形は１つのドットを示している。また、各例には、黒で示されるインクドット５４と、グレーで示される反応液吐出ドット５２とが示されている。
【００７６】
図１２（Ａ）は、反応液デューティを５０．０％とした場合の膨張例を示し、図１２（Ｂ）は、反応液デューティを２５．０％とした場合の膨張例を示し、図１２（Ｃ）は、反応液デューティを１２．５％とした場合の膨張例を示している。
【００７７】
この処理により、インク滴量に応じた適量の反応液を吐出することができるので、カールなどの用紙変形の発生を防ぐことができるとともに、反応液を節約することができる。なお、図１１で説明した処理を実行する場合は、図５の処理の実行終了後に該処理を加え、その後に上述した画像形成処理を実行する。
【００７８】
上述した図１１では、「大滴の場合は５０．０％デューティ」などと具体的なパーセント値が示されているが、このパーセント値は、インクの物性、反応液の物性、及び用紙の特性などにより定まる値であり、図１１で示されるパーセント値に限定されるものではない。
【００７９】
以上詳細に説明したように、本実施の形態では、画像データに対しハーフトーン処理を実行して、ハーフトーン処理された画像データであるハーフトーン画像データを生成するハーフトーン画像生成手段（量子化部３４）と、前記ハーフトーン画像データに基づき、インク滴を吐出するドットを示すインク吐出データを生成するインク吐出データ生成手段（インク吐出データ生成部３６）と、前記ハーフトーン画像データに基づき、該ハーフトーン画像データが示すインク滴を吐出するドットの形成位置と該ドットの周囲のドットの位置に反応液滴を吐出するための反応液吐出データを生成する反応液吐出データ生成手段（反応液吐出データ生成部４４）と、前記インク吐出データに基づいて前記インク滴を吐出すると共に、前記反応液吐出データに基づいて前記反応液滴を吐出して画像を形成する画像形成手段（記録ヘッド駆動部３８、反応液ヘッド駆動部４６）と、を有するので、インク滴が付着した位置及び周囲に反応液が吐出され、また必要以上に反応液が吐出することがないので、反応液過多によるカール、及びインクによる滲みを効率的に防ぐことができる。なお、反応液吐出データ生成手段（反応液吐出データ生成部４４）は、ハーフトーン画像データに基づいて生成されたインク滴吐出データに基づいて反応液吐出データを生成しても良い。
【００８０】
また、本実施の形態では、反応液吐出データ生成手段（反応液吐出データ生成部４４）は、黒のインク滴を吐出するためのハーフトーン画像データに基づき前記反応液吐出データを生成するので、一般的な画像に最も用いられ、滲みが目立ちやすい黒、特に黒文字を印刷した際の反応液によるカール、及びインクによる滲みを効率的に防ぐことができる。
【００８１】
また、本実施の形態では、前記反応液吐出データ生成手段（反応液吐出データ生成部４４）は、黒、シアン、マゼンタ、及びイエローのインク滴を吐出するためのハーフトーン画像データに基づき前記反応液吐出データを生成するので、カラー画像を印刷した際の反応液によるカール、及びインクによる滲みを効率的に防ぐことができる。
【００８２】
また、本実施の形態では、前記反応液吐出データ生成手段（反応液吐出データ生成部４４）は、吐出されるインク滴量が少なくなるほど、前記反応液滴を吐出する周囲のドット位置の数を少なくなるように前記反応液吐出データを生成するので、カールなどの用紙変形の発生を防ぐことができるとともに、反応液を節約することができる。
【００８３】
また、本実施の形態では、前記反応液吐出データ生成手段（反応液吐出データ生成部４４）は、吐出されるインク滴量が少なくなるほど、前記インク滴量に対する反応液滴量の割合を低くするように前記反応液吐出データを生成するので、カールなどの用紙変形の発生を防ぐことができるとともに、反応液を節約することができる。
【００８４】
また、本実施の形態では、画像データに対しハーフトーン処理を実行して、ハーフトーン処理された画像データであるハーフトーン画像データを生成するハーフトーン画像生成段階（量子化部３４によるハーフトーン処理）と、前記ハーフトーン画像データに基づき、インク滴を吐出するドットを示すインク吐出データを生成するインク吐出データ生成段階（インク吐出データ生成部３６によるインク吐出データ生成処理）と、前記ハーフトーン画像データに基づき、該ハーフトーン画像データが示すインク滴を吐出するドットの形成位置と該ドットの周囲のドットの位置に反応液滴を吐出するための反応液吐出データを生成する反応液吐出データ生成段階（反応液吐出データ生成部４４による反応液吐出データ生成処理）と、前記インク吐出データに基づいて前記インク滴を吐出すると共に、前記反応液吐出データに基づいて前記反応液滴を吐出して画像を形成する画像形成段階（記録ヘッド駆動部３８によるインク滴吐出処理及び反応液ヘッド駆動部４６による反応液吐出処理）と、を有するので、インク滴が付着した位置及び周囲に反応液が吐出され、また必要以上に反応液が吐出することがないので、反応液によるカール、及びインクによる滲みを効率的に防ぐことができる。
【００８５】
また、本実施の形態では、画像データに対しハーフトーン処理を実行して、ハーフトーン処理された画像データであるハーフトーン画像データを生成するハーフトーン画像生成ステップ（量子化部３４によるハーフトーン処理）と、前記ハーフトーン画像データに基づき、インク滴を吐出するドットを示すインク吐出データを生成するインク吐出データ生成ステップ（インク吐出データ生成部３６によるインク吐出データ生成処理）と、前記ハーフトーン画像データに基づき、該ハーフトーン画像データが示すインク滴を吐出するドットの形成位置と該ドットの周囲のドットの位置に反応液滴を吐出するための反応液吐出データを生成する反応液吐出データ生成ステップ（反応液吐出データ生成部４４による反応液吐出データ生成処理）と、前記インク吐出データに基づいて前記インク滴を吐出すると共に、前記反応液吐出データに基づいて前記反応液滴を吐出して画像を形成する画像形成ステップ（記録ヘッド駆動部３８によるインク滴吐出処理及び反応液ヘッド駆動部４６による反応液吐出処理）と、を有するので、インク滴が付着した位置及び周囲に反応液が吐出され、また必要以上に反応液が吐出することがないので、反応液によるカール、及びインクによる滲みを効率的に防ぐことができる。なお、この画像形成プログラムは、制御部４０が有するＲＯＭなどの記録媒体に記録されている。
【図面の簡単な説明】
【００８６】
【図１】本発明の実施の形態に係るインクジェット記録装置の概略構成図である。
【図２】液滴イジェクタの構成と、液滴イジェクタの圧電素子に印加する電圧の駆動波形と該駆動波形に対応して吐出されるドットのサイズを模式的に説明する図である。
【図３】インクジェット記録装置の制御系の構成を示したブロック図である。
【図４】反応液吐出データ生成処理（Ｋ）を示すフローチャートである。
【図５】膨張処理を示すフローチャートである。
【図６】反応液吐出データ例を示す図である。
【図７】反応液を吐出するドットが重複する場合を示す図である。
【図８】膨張処理を「あ」に適用した例を示す図ある。
【図９】反応液吐出データ生成処理（ＣＭＹＫ）を示すフローチャートである。
【図１０】膨張ドット数決定処理を示すフローチャートである。
【図１１】処理液デューティ決定処理を示すフローチャートである。
【図１２】異なる処理液デューティの場合の反応液吐出データ例を示す図である。
【図１３】反応液を塗布しない場合と、反応液を塗布する方法の例を列挙した図である。
【符号の説明】
【００８７】
１０  インクジェット記録装置
１２Ｌ  反応液ヘッド
１２Ｃ、１２Ｍ、１２Ｙ、１２Ｋ  ヘッド
１４Ｙ、１４Ｍ、１４Ｃ、１４Ｋ  インクタンク
１４Ｌ  反応液タンク
３０  解像度変換部
３２  色変換部
３４  量子化部
３６  インク吐出データ生成部
３８  記録ヘッド駆動部
４０  制御部
４４  反応液吐出データ生成部
４６  反応液ヘッド駆動部
５０  液滴イジェクタ
５０Ａ  ノズル
５０Ｃ  圧電素子
５０Ｂ  液滴圧力室
５２  反応液吐出ドット
５４、５４Ａ、５４Ｂ  インクドット
５６  重複ドット
【図１】
2007276400.tif 000003
【図２】
2007276400.tif 000004
【図３】
2007276400.tif 000005
【図４】
2007276400.tif 000006
【図５】
2007276400.tif 000007
【図８】
2007276400.tif 000008
【図９】
2007276400.tif 000009
【図１０】
2007276400.tif 000010
【図１１】
2007276400.tif 000011
【図１３】
2007276400.tif 000012
【図６】
2007276400.tif 000013
【図７】
2007276400.tif 000014
【図１２】
2007276400.tif 000015